(57)【要約】【課題】縁線の切り離し・接続作業が複数回必要となる場合においても、接続箇所が増えることがなく、また縁線の張替えが不要になると共に風による金属疲労を受けにくくすることが可能な縁線接続コネクタを提供する。【解決手段】縁線接続コネクタ１を、架空配電線の縁線５の芯線５ｂを挿入する縁線挿入口を備えると共に、周壁部にボルト孔６が形成された導電性の一対の筒状体２と、一対の筒状体２のそれぞれの縁線挿入口と反対側に接続され、この一対の筒状体２を電気的に接続する連結導電体３と、筒状体２のボルト孔６にボルト頭部を外側に突出させて螺合させ、螺合量を調節することで筒状体２の内部への突出量を調節可能とするボルト７と、連結導電体３をピン碍子４に対して固定する固定手段（バインド線１０）とにより構成する。【選択図】        図１
2012157144.tif 000002
【特許請求の範囲】
【請求項１】
架空配電線の縁線の芯線を挿入する縁線挿入口を備えると共に、周壁部にボルト孔が形成された導電性の一対の筒状体と、
前記一対の筒状体のそれぞれの前記縁線挿入口と反対側に接続され、この一対の筒状体を電気的に接続する連結導電体と、
前記筒状体のボルト孔にボルト頭部を外側に突出させて螺合させ、螺合量を調節することで前記筒状体の内部への突出量を調節可能とするボルトと、
前記連結導電体を碍子に対して固定する固定手段と、
を具備することを特徴とする縁線接続コネクタ。
【請求項２】
前記固定手段は、前記連結導電体に回転自在に取り付けられたバインド線により前記碍子に係合させる手段であることを特徴とする請求項１記載の縁線接続コネクタ。
【請求項３】
前記固定手段は、前記連結導電体と前記碍子とを貫通させる締結用ボルトにより締結させる手段であることを特徴とする請求項１記載の縁線接続コネクタ。
【請求項４】
前記連結導電体は、前記ボルトにより前記筒状体に着脱可能であることを特徴とする請求項１乃至３のいずれかに記載の縁線接続コネクタ。
【請求項５】
請求項１乃至４のいずれかに記載の縁線接続コネクタの一部を覆う絶縁性の第１のカバー構成部材と、この第１のカバー構成部材に回動可能に連結され、前記縁線接続コネクタの残りの部分を覆う絶縁性の第２のカバー構成部材とを備え、前記第１及び第２のカバー構成部材の少なくとも一方により前記碍子の表面の前記固定手段によって固定された部分をも覆うことを特徴とする絶縁性カバー。
【発明の詳細な説明】
【技術分野】
【０００１】
本発明は、電柱等の支持物に架設される架空配電線の縁線同士を接続するために用いられる縁線接続コネクタと、この縁線接続コネクタに用いられる絶縁性カバーに関する。
【背景技術】
【０００２】
電柱の前後から架設された架空配電線を連結する引留柱では、電柱に固定された腕金に引留金具を取り付け、この引留金具を介して固定された耐張碍子に電柱の前後から引留クランプを介して架空配電線をそれぞれ固定し、この前後の架空配電線を電気的に接続するために、前後の引留クランプ間にそれぞれの架空配電線から引き出された縁回し線（以下、縁線という）を接続スリーブによって互いに接続するようにしている。
【０００３】
このような接続スリーブとしては、両端に縁線挿入口を有する導電性金属からなる筒型圧着端子が多用されており、縁線挿入口に電線端部の被服材を剥いて露出させた芯線をそれぞれ挿入し、その状態で圧縮工具を用いて接続スリーブを圧縮することで、縁線同士を電気的に接続するようにしている（特許文献１乃至４等参照）。
【０００４】
そして、縁線同士を接続する接続スリーブの部分は、図示しない絶縁性カバー等の絶縁部材で覆って保護し、また、縁線が電柱に固定された腕金を跨ぐような場合にあっては、接続スリーブからずれた縁線部位を腕金に立設されたピン碍子にバインド線を用いて引留めるようにしている。
【先行技術文献】
【特許文献】
【０００５】
【特許文献１】特開平８−３３９８４１号公報
【特許文献２】特開２０００−１２１０８号公報
【特許文献３】特開２０００−０２１４６５号公報
【特許文献４】特開２００６−１４９１０２号公報
【発明の概要】
【発明が解決しようとする課題】
【０００６】
しかしながら、このような縁線は、途中で切断して切り離した後に再び接続する場合があり、そのような作業が必要となる場合においては、既存の接続部分に設けられている接続スリーブは圧縮工具で圧縮されていることから、この部分での切り離しは難しく、縁線の接続スリーブが設けられていない他の箇所を切り離し、その後、上記接続スリーブを用いてこの切り離した部分を再び圧縮接続するようにしている。
このため、縁線の切り離し・接続作業を行うたびに、縁線を切断したり、縁線の被覆を剥いだりする作業などが必要となり、多くの作業工具が必要となり、作業工数が多くなると共に作業効率が悪いものであった。
【０００７】
また、縁線の切り離しと接続を何度も繰り返すと、縁線上に接続箇所が多数存在し、寸法的に切り離しができる余裕がなくなると、縁線の張替えが必要となる。しかも、スリーブ接続の多い縁線にあっては、絶縁カバーも多く取り付けられるため、このカバーにより風の影響を受けやすくなり、縁線の揺れによる金属疲労が生じて縁線が断線する等の不都合が懸念される。
【０００８】
さらに、スリーブ接続箇所が多いと、縁線を支持する必要がある場合には、スリーブ接続部分と支持用のバインド線との離隔距離を工事基準通りに離すことが困難となり、スリーブ接続箇所にバインド線を接触させて巻き付けた場合には、バインド線が充電して鳥獣による事故停電が発生することも懸念される。
【０００９】
本発明は、係る事情に鑑みてなされたものであり、縁線の切り離し・接続作業が複数回必要となる場合においても、接続箇所が増えることがなく、また縁線の張替えが不要になると共に風による金属疲労を受けにくい縁線接続コネクタとこの縁線接続コネクタに用いられる絶縁性カバーとを提供することを主たる課題としている。
【課題を解決するための手段】
【００１０】
上記課題を達成するために、本発明に係る縁線接続コネクタは、架空配電線の縁線の芯線を挿入する縁線挿入口を備えると共に、周壁部にボルト孔が形成された導電性の一対の筒状体と、前記一対の筒状体のそれぞれの前記縁線挿入口と反対側に接続され、この一対の筒状体を電気的に接続する連結導電体と、前記筒状体のボルト孔にボルト頭部を外側に突出させて螺合させ、螺合量を調節することで前記筒状体の内部への突出量を調節可能とするボルトと、前記連結導電体を碍子に対して固定する固定手段と、を具備することを特徴としている。
【００１１】
したがって、電線の両側の架空配電線から引き出された縁線同士を接続する場合には、それぞれの縁線の端部の被覆材を剥いで芯線を露出させ、この露出した縁線の芯線を別々の対応する筒状体の縁線挿入口に挿入し、しかる後にボルトを螺合して筒状体の内壁部とボルトの先端部との間に芯線を圧接して固定することで縁線同士を電気的に接続させるようにすればよい。そして、連結導電体に設けられた固定手段により碍子に後から固定することで、また、碍子に予め固定しておくことで、縁線接続コネクタを碍子に対して固定する。
また、縁線を切り離したい場合には、碍子への固定手段による固定状態を解除し、又は、碍子への固定手段による固定状態をそのまま維持したまま、ボルトを緩めて筒状体に挿着されていた縁線の芯線を外せば、縁線の切り離しが完了する。
【００１２】
このため、縁線の縁線接続コネクタ以外の箇所を切り離すことが不要となり、縁線の切り離し・接続が複数回必要な場合でも、縁線接続箇所を１箇所とすることが可能となる。また、縁線同士の接続時には、縁線端部の芯線を筒状体に挿入してボルト留めればよく、また、切り離す場合には、ボルトを緩めて縁線端部の芯線を外せばよいため、従来のように、縁線の切り離し・接続の都度、縁線を切断したり、被覆材の剥ぎ取ったりする作業が不要となり、縁線の切り離し・接続作業が容易となる。
【００１３】
ここで、固定手段としては、連結導電体に回転自在に取り付けられたバインド線により碍子に係合させる手段としてもよい。このような構成によれば、導電体を中心としてバインド線を回動させて碍子に係合させることで、縁線接続コネクタを碍子に固定することが可能となり、また、バインド線の碍子への係合状態を外すことで、縁線接続コネクタの碍子への固定状態を解除することが可能となる。
【００１４】
また、固定手段としては、連結導電体と碍子とを貫通させる締結用ボルトにより締結させる手段としてもよい。このような構成によれば、連結導電体を予め碍子に締結用ボルトによって締結しておけば、縁線の芯線を筒状体にボルトによって固定した時点でピン碍子への固定も完了し、また、縁線の芯線をボルトを緩めて筒状体から外した時点でピン碍子への固定を解除することが可能となるので、縁線接続コネクタをピン碍子に後付けする必要がなくなり、また、縁線の切り離しも行う場合にも、縁線接続コネクタをピン碍子から外す必要がなくなり、縁線の作業効率を向上させることが可能となる。
【００１５】
さらに、連結導電体は、ボルトにより筒状体に着脱可能としてもよい。これにより、連結導電体の形状を直線状のものだけでなく、適宜屈曲させたものに取り替えることで、縁線のいろいろな引き回しに対応することが可能となり、汎用性を高めることが可能となる。
【００１６】
さらにまた、縁線接続コネクタを碍子に取り付けた状態を保護し、また充電部を被覆するために、縁線接続コネクタの一部を覆う絶縁性の第１のカバー構成部材と、この第１のカバー構成部材に回動可能に連結され、前記縁線接続コネクタの残りの部分を覆う絶縁性の第２のカバー構成部材とを備え、前記第１及び第２のカバー構成部材の少なくとも一方により前記碍子の表面の前記固定手段によって固定された部分をも覆う絶縁性カバーを設けるようにするとよい。
このような構成によれば、縁線連結コネクタとこれを引き留める碍子の引留め部分とが絶縁カバーにより被覆されるので、充電部の露出を避けることが可能となり、鳥獣の接触による事故を防ぐことが可能となる。
【発明の効果】
【００１７】
以上述べたように、本発明の縁線接続コネクタによれば、縁線挿入口を備えると共に周壁部にボルト孔が形成された導電性の一対の筒状体と、この一対の筒状体を電気的に接続する連結導電体と、筒状体のボルト孔への螺合量を調節することで筒状体の内部への突出量を調節可能とするボルトと、連結導電体を碍子に対して固定する固定手段とを具備して構成したので、縁線の縁線接続コネクタ以外の箇所での切り離し、接続が不要となり、縁線接続箇所を１箇所とすることが可能となる。
【００１８】
このため、同じ縁線で何度も切り離し・接続が必要になる場合であっても、ボルトを緩めて電線の芯線を筒状体から抜き取るだけで切り離しが可能となり、また、縁線の芯線を筒状体に挿入し、ボルトを締め付ければ縁線の接続が完了するので、縁線の接続箇所が増えることがなくなり、また、縁線を張り替える必要もなくなる。さらに、筒状体に設けられるボルトは、筒状体の外側に突出したボルト頭部を間接活線工具で把持して操作することで締め付けたり緩めたりすることができるので、縁線接続・切り離し作業が容易となり、作業効率を高めることが可能になると共に、個々人の作業の仕上がりのバラツキを避けることが可能となる。
【００１９】
また、縁線の接続箇所にカバーを設ける場合でも、風による揺れの影響を小さくすることが可能となり、縁線の金属疲労による断線を避けることが可能となる。
さらにまた、碍子に対して固定される固定手段を具備するので、碍子への固定状態を形成するために固定具を別途用意する必要がなく、碍子への固定状態の形成を容易に確保することが可能となる。
【００２０】
なお、連結導電体をボルトにより筒状体に着脱可能とすれば、形状の異なる連結導電体を付け替えることで、縁線のいろいろな引き回しに対応することが可能となり、汎用性を高めることが可能となる。
【図面の簡単な説明】
【００２１】
【図１】図１は、本発明に係る縁線接続コネクタを用いて縁線同士を接続し、ピン碍子に引留める状態を示す図であり、（ａ）は連結導電体に回動自在に取り付けられたバインド線をピン碍子に係合させる前の状態を示す斜視図であり、（ｂ）はバインド線をピン碍子に係合させた状態を示す斜視図である。
【図２】図２は、本発明に係る縁線接続コネクタを示す図であり、（ａ）は縁線を取り付ける前の状態を示す斜視図であり、（ｂ）は筒状体の部分を電線の軸方向からみた図であり、（ｃ）は本発明に係る縁線接続コネクタを用いて縁線を接続した状態を示す断面図であり、（ｄ）はバインド線を示す斜視図である。
【図３】図３は、図１で示す縁線接続コネクタをピン碍子の上部と共に覆う絶縁性カバーを示す図であり、（ａ）は絶縁性カバーを閉じた状態を示す斜視図、（ｂ）は絶縁性カバーを開いた状態を示す斜視図である。
【図４】図４（ａ）は、図１に係る縁線接続コネクタを用いて縁線を接続し、ピン碍子に引留めた状態を示す平面図であり、図４（ｂ）は、図４（ａ）の状態に図３の絶縁性カバーを取り付けた状態を示す平面図である。
【図５】図５は、本発明に係る他の縁線接続コネクタを用いて縁線を接続し、ピン碍子に引留める状態を示す図であり、（ａ）は連結導電体に回動自在に取り付けられたバインド線をピン碍子に係合させる前の状態を示す斜視図であり、（ｂ）はバインド線をピン碍子に係合させた状態を示す斜視図である。
【図６】図６（ａ）は、図５で示す縁線接続コネクタにおいて、縁線を取り付ける前の状態を示す斜視図であり、（ｂ）は図５で示す縁線接続コネクタに用いられるバインド線を示す斜視図である。
【図７】図７は、図５で示す縁線接続コネクタをピン碍子の上部と共に覆う絶縁性カバーを示す図であり、（ａ）は絶縁性カバーを閉じた状態を示す斜視図、（ｂ）は絶縁性カバーを開いた状態を示す斜視図である。
【図８】図８（ａ）は、図５に係る縁線接続コネクタを用いて縁線を接続し、ピン碍子に引留めた状態を示す平面図であり、図８（ｂ）は、図８（ａ）の状態に図７の絶縁性カバーを取り付けた状態を示す平面図である。
【図９】図９は、本発明に係るさらに他の縁線接続コネクタを用いて縁線を接続し、ピン碍子に引留める状態を示す図であり、（ａ）は連結導電体に回動自在に取り付けられたバインド線をピン碍子に係合させる前の状態を示す斜視図であり、（ｂ）はバインド線をピン碍子に係合させた状態を示す斜視図である。
【図１０】図１０（ａ）は、図９で示す縁線接続コネクタにおいて、縁線を取り付ける前の状態を示す斜視図であり、（ｂ）は図９で示す縁線接続コネクタに用いられるバインド線を示す斜視図である。
【図１１】図１１は、図９で示す縁線接続コネクタをピン碍子の上部と共に覆う絶縁性カバーを示す図であり、（ａ）は絶縁性カバーを閉じた状態を示す斜視図、（ｂ）は絶縁性カバーを開いた状態を示す斜視図である。
【図１２】図１２（ａ）は、図９に係る縁線接続コネクタを用いて縁線を接続し、ピン碍子に引留めた状態を示す平面図であり、図１２（ｂ）は、図１２（ａ）の状態に絶縁性カバーを取り付けた状態を示す平面図である。
【図１３】図１３は、縁線接続コネクタをピン碍子に予めボルト留めした状態を示す図であり、（ａ）はその斜視図、（ｂ）はその平面図である。
【図１４】図１４は、図１３で示す縁線接続コネクタをピン碍子の上部と共に覆う絶縁性カバーを示す図であり、（ａ）は絶縁性カバーを閉じた状態を示す斜視図、（ｂ）は絶縁性カバーを開いた状態を示す斜視図である。
【発明を実施するための形態】
【００２２】
以下、この発明の最良の実施形態を添付図面を参照しながら説明する。
図１及び図２において、縁線接続コネクタ１は、一対の筒状体２と、これら一対の筒状体２を電気的に接続する連結導電体３と、ピン碍子４に対して固定する固定手段とを有して構成されている。
【００２３】
筒状体２は、アルミニウム合金、銅、鉄等の導電性のいい金属や導電性樹脂などで構成されているもので、それぞれの筒状体２の互いに遠ざかる側の端部に縁線５の端部の被覆材５ａを剥いで露出させた芯線５ｂを挿入する縁線挿入口２ａが形成され、また互いに近接する側の端部に連結導電体３を挿入する連結導電体挿入口２ｂが形成された例えば円筒形状のものである。
また、それぞれの筒状体２の周壁部には、軸方向に沿って所定の間隔に離間された２つのボルト孔６が形成され、それぞれのボルト孔６には、ボルト７がボルト頭部７ａを筒状体２の外側に突出させた状態で螺合されている。
【００２４】
それぞれのボルト７は、ボルト頭部７ａを間接活線工具などで回してボルト孔６への螺合量を調節することで筒状体２の内側への突出量が調節可能となっており、連結導電体挿入口側のボルト７は連結導電体３を固定するための連結導電体固定用ボルト７αとして用いられ、また、縁線挿入口側のボルト７は縁線５を固定するための縁線固定用ボルト７βとして用いられる。
【００２５】
連結導電体３は、アルミニウム合金、銅、鉄等の銅電線材料で形成された導電材料で構成された円柱形状のもので、筒状体２の連結導電体挿入口２ｂの開口径よりも幾分小さい径に形成されている。この連結導電体３は、それぞれの連結導電体挿入口２ｂより筒状体２に挿入され、連結導電体固定用ボルト７αを螺合して筒状体２の内壁部とボルト（連結導電体固定用ボルト７α）の先端部との間で連結導電体３を押圧して固定されている。この例において連結導電体３は、直線状に形成され、対をなす筒状体間に露出されている部分が、ピン碍子４の径に略等しいか幾分短い長さに設定されている。
【００２６】
ピン碍子４に対して固定する固定手段は、この例では、連結導電体３に回動自在に取り付けられてピン碍子４のくびれ部４ａに係合可能なバインド線１０から構成されているもので、このバインド線１０を、連結導電体３に回動可能に巻回される一対のヒンジ部１０ａと、この一対のヒンジ部１０ａに連接されてピン碍子４の上部の径よりも幾分小さい曲率半径で湾曲する円弧状部１０ｂと、この円弧状部１０ｂの中間部（例えば、ヒンジ部１０ａから最も離れた部分）に円弧状部１０ｂの弾性的な径の伸縮を許容するよう径方向外側へ突出する突出屈曲部１０ｃとを有して構成されている。
【００２７】
一対のヒンジ部１０ａは、連結導電体３の露出部分の軸方向両端近傍に位置するように間隔を空けて係止されており（連結導電体３を挿入する連結導電体挿入口２ｂの端面に当接させた状態、又は、端面に近接させた状態で係止されており）、円弧状部１０ｂはピン碍子４の径よりも幾分小さい径に形成されているので、この円弧状部１０ｂをピン碍子４の頂部周縁に押し付けると、突出屈曲部１０ｃが拡がって円弧状部１０ｂの径が大きくなり、円弧状部１０ｂがピン碍子４のくびれ部４ａに至ると突出屈曲部１０ｃが狭まって（復元して）円弧状部１０ｂの径が元の大きさに戻るようになっている。
【００２８】
このような縁線接続コネクタ１をピン碍子４の側部に固定する場合にあっては、この縁線接続コネクタ１をピン碍子４の上部と共に被覆して、充電部となる部分を覆うようにすることが好ましく、このため、例えば、図３に示されるような絶縁性の絶縁性カバー１２を用いるようにするとよい。
【００２９】
この絶縁性カバー１２は、ピン碍子４の上部とこのピン碍子４に固定された縁線接続コネクタ１の一対の筒状体２及び連結導電体３の上半分とを覆う第１のカバー構成部材１２ａと、この第１のカバー構成部材１２ａに回動可能に連結され、縁線接続コネクタ１の一対の筒状体２及び連結導電体３の下半分を覆う第２のカバー構成部材１２ｂとから構成されている。第１のカバー構成部材１２ａは、ピン碍子４に係合されるバインド線１０までを覆うように上方から垂下する円弧壁部１３a-1を備えた碍子被覆部１３ａと、縁線接続コネクタ１の上側略半分をボルト７と共に覆うコネクタ被覆部１３ｂとが一体に形成され、第２のカバー構成部材１２ｂは、第１のカバー構成部材１２ａのコネクタ被覆部１３ｂの側縁にヒンジ部１４を介して一体に連結されているもので、縁線接続コネクタ１の下側を覆うように断面円弧状に形成されると共に、ピン碍子４との干渉を避ける切り欠き１５が形成されている。
【００３０】
また、第１のカバー構成部材１２ａのコネクタ被覆部１３ｂと第２のカバー構成部材１２ｂとには、互いを連結するヒンジ部１４と反対側の側縁に、帯状に延設された当接縁部１６ａ，１６ｂが形成されている。この当接縁部１６ａ、１６ｂの一方には係合孔１７が形成され、他方には係合孔１７と係合可能な係合突起１８が設けられており、互いに重ね合わせると、係合突起１８が係合孔１７に係合して離れないようになっている。
【００３１】
以上の構成において、縁線５同士の接続作業を説明すると、先ず、連結導電体３を一対の筒状体２の連結導電体挿入口２ｂにそれぞれ挿入して連結導電体固定用ボルト７αを締め付けることで連結導電体３を一対の筒状体２に固定し、また、連結導電体３にバインド線１０の一対のヒンジ部１０ａを回動自在に取り付けて図２（ａ）で示される縁線接続コネクタ１を形成しておく。
【００３２】
そして、電柱の前後の図示しない引留クランプから引き出された縁線５のそれぞれについて、縁線５の端部の被覆材５ａを剥いで芯線５ｂを露出させ、その芯線５ｂを筒状体２の縁線挿入口２ａに挿入し、しかる後に、縁線固定用ボルト７βを締め付けて、縁線５の芯線５ｂを筒状体２の内壁と縁線固定用ボルト７βの先端部分との間で圧接した状態で固定し、図２（ｃ）で示されるような状態を形成する。このようにして縁線接続コネクタ１の両側に縁線５が接続された後に、縁線接続コネクタ１をピン碍子４に対して側方から近づけ、ピン碍子４のくびれ部４ａに連結導電体３の側面を当接させ、その状態でバインド線１０を回動させてピン碍子４の上部にあてがい、そのままバインド線１０の円弧状部１０ｂをピン碍子４の上部周縁に押し付けてこの円弧状部１０ｂを径方向に押し広げ、円弧状部１０ｂの間にピン碍子４の頭部を通す。そして、ピン碍子４の頭部が円弧状部１０ｂを通過すると、円弧状部１０ｂは突出屈曲部１０ｃの復元力により径が縮小され、図４（ａ）にも示されるように、円弧状部１０ｂはピン碍子４のくびれ部４ａに係合されることとなる。このため、バインド線１０を回動させることにより、ワンタッチで縁線接続コネクタ１がピン碍子４の側部に固定される。
【００３３】
その後、絶縁性カバー１２の第１及び第２のカバー構成部材１２ａ，１２ｂをヒンジ部１４を中心として回動させて開き、縁線接続コネクタ１を構成する筒状体２や連結導電体３と、ピン碍子４の上部及びピン碍子４に係合させたバインド線１０を覆うように第１のカバー構成部材１２ａを上方から被せ、しかる後に、第２のカバー構成部材１２ｂをヒンジ部１４を中心として回動させることで縁線接続コネクタ１の筒状体２と連結導電体３とを下方から覆い、第２のカバー構成部材１２ｂの当接縁部１６ｂに形成された係合突起１８を第１のカバー構成部材１２ａのコネクタ被覆部１３ｂの当接縁部１６ａに形成された係合孔１７に係合させる。これにより、図４（ｂ）に示されるように、充電部となる縁線接続コネクタ１の筒状体２および連結導電体３と碍子４に係合されたバインド線１０とを覆うように絶縁性カバー１２が取り付けられる。
【００３４】
これに対して、縁線接続コネクタ１から縁線５を取り外す場合には、先ず、第２のカバー構成部材１２ｂをヒンジ部１４を中心として回動させて第１のカバー構成部材１２ａとの係合状態を解除し、しかる後に、第１のカバー構成部材１２ａを上方へ持ち上げて縁線接続コネクタ１及びピン碍子４から外す。
その後、ピン碍子４のくびれ部４ａに係合されているバインド線１０を突出屈曲部１０ｃを下方から押し上げることで円弧状部１０ｂをピン碍子４の頭部から抜き取るように回動させて縁線接続コネクタ１のピン碍子４への固定状態を解除した後に、又は、縁線接続コネクタ１のピン碍子４への固定状態をそのまま維持した状態で、縁線接続コネクタ１の筒状体２の縁線固定用ボルト７βを緩めて縁線５の芯線５ｂを筒状体２から取り外せばよい。
【００３５】
したがって、このような構成においては、電柱の両側の架空配電線を引留める引留クランプから引き出された縁線５同士を接続する場合には、それぞれの縁線５の芯線５ｂを筒状体２の縁線挿入口２ａに挿入し、縁線固定用ボルト７βを締め付けることで縁線同士を接続させることが可能となり、また、縁線５を切り離したい場合には、縁線固定用ボルト７βを緩めて筒状体２に挿入されている縁線５の芯線５ｂを外せば、縁線５の切り離しが完了するので、縁線５の切り離し・接続を行うたびに、縁線５を切断したり被覆材５ａを剥ぎ取ったりする作業が不要となり、縁線５の切り離し・接続作業が容易となる。
【００３６】
また、縁線５の縁線接続コネクタ以外の箇所を切り離すことが不要となるので、縁線接続箇所を１箇所とすることが可能となり、同じ縁線５で何度も切り離し・接続が必要になる場合であっても、縁線固定用ボルト７βを緩めて縁線５の芯線５ｂを筒状体２から引き抜くだけで切り離しが可能となり、また、縁線５の芯線５ｂを筒状体２に挿入し、縁線固定用ボルト７βを締め付ければ縁線５の筒状体２への接続が可能となるので、縁線５の接続箇所が増えることもなくなり、縁線５を張り替える必要もなくなる。
【００３７】
さらに、筒状体２に設けられるそれぞれのボルト７はボルト頭部７ａが筒状体２の外側に突出しているので、間接活線工具で締め付けたり緩めたりすることが可能となり、縁線の接続や切り離し作業が容易となると共に作業効率を高めることが可能となり、また、個々人の作業の仕上がりのバラツキを避けることが可能となる。
【００３８】
さらにまた、ピン碍子４からずれた部分に縁線５の接続箇所が設けられてそこに絶縁性カバーが設けられることがないため、風による揺れの影響を小さくすることが可能となり、縁線５の金属疲労による断線を避けることが可能となる。
また、バインド線１０が連結導電体３に回動自在に取り付けられているので、ピン碍子４にワンタッチで取り付けることが可能となり、ピン碍子４への固定手段を縁線接続コネクタ１とは独立して準備する必要がなくなり、ピン碍子４への固定状態の形成を容易に確保することが可能となる。
【００３９】
以上の構成においては、縁線接続コネクタ１をピン碍子４の側部に固定する例を示したが、縁線接続コネクタ１は、ピン碍子４の上部に固定するようにしてもよい。このような縁線接続コネクタ１が図５及び図６に示されている。
【００４０】
この例では、縁線接続コネクタ１に取り付けられるバインド線１０が異なる点で前記構成例と相違している。この例で用いられるバインド線１０は、連結導電体３に回動可能に巻回される一対のヒンジ部１０ａと、この一対のヒンジ部１０ａに連接されてピン碍子４のくびれ部４ａに係止可能な大きさに形成された円弧状部１０ｂとを有して構成されているもので、このようなバインド線１０を相反する方向へ回動可能に連結導電体３に２つ取り付け、ピン碍子４の上部に縁線接続コネクタ１を載置させた状態でバインド線１０を回動させてピン碍子４のくびれ部４ａに係止させることで縁線接続コネクタ１をピン碍子４に固定するようにしている。
【００４１】
このような縁線接続コネクタ１をピン碍子４に取り付けた状態を保護する絶縁性カバー１２としては、例えば、図７に示されるような絶縁性カバーが用いられ、この例では、ピン碍子４の上部の略半分とこのピン碍子４に固定された縁線接続コネクタ１の片側の略半分とを覆う第１のカバー構成部材１２ｃと、この第１のカバー構成部材１２ｃに回動可能に連結され、ピン碍子４の上部の残りの略半分と縁線接続コネクタ１の残りの片側の略半分とを覆う第２のカバー構成部材１２ｄとから構成されている。第１のカバー構成部材１２ｃは、ピン碍子４に係合されるバインド線１０までを覆うように上方から垂下する円弧壁部１３ａ-1を備えた碍子被覆部１３ａと、縁線接続コネクタ１の軸線を含む鉛直面に対して片側略半分をボルト７と共に覆うコネクタ被覆部１３ｂとが一体に形成され、第２のカバー構成部材１２ｄは、第１のカバー構成部材１２ｃと略対称的に形成され、ピン碍子４に係合されるバインド線１０までを覆うように上方から垂下する円弧壁部１３c-1を備えた碍子被覆部１３ｃと、縁線接続コネクタ１の軸線を含む鉛直面に対して残りの片側略半分をボルトと共に覆うコネクタ被覆部１３ｄとが一体に形成されており、それぞれのカバー構成部材１２ｃ、１２ｄの
コネクタ被覆部１３ｂ、１３ｄの上縁部において、第１のカバー構成部材１２ｃと第２のカバー構成部材１２ｄとを回動可能に連結するヒンジ部１４が形成されている。
尚、この例において連結導電体３は、直線状に形成されているが、対をなす筒状体間の露出されている部分は、ピン碍子４の径よりも長く形成されている。その他の構成は、前記構成例と同様であるので、同一箇所に同一符号を付して説明を省略する。
【００４２】
このような構成においては、連結導電体３を一対の筒状体２の連結導電体挿入口２ｂにそれぞれ挿入して連結導電体固定用ボルト７αを締め付けることで連結導電体３を一対の筒状体２に固定し、また、連結導電体３に一対のバインド線１０を回動自在に取り付けた縁線接続コネクタ１を形成しておき、電柱の前後の図示しない引留クランプから引き出された縁線５の芯線５ｂを筒状体２の縁線挿入口２ａに挿入し、縁線固定用ボルト７βを締め付けてそれぞれの縁線５を縁線接続コネクタ１で連結させ、この縁線接続コネクタ１をピン碍子４に対して上方から近づけ、ピン碍子４の上部に形成されている溝部４ｂ（図１に示す）に連結導電体３の側面を当接させ、その状態でバインド線１０を回動させてピン碍子４のくびれ部４ａまで回動させ、図８（ａ）にも示されるように、バインド線１０をピン碍子４の頭部に係止させる。これにより、ワンタッチで、縁線接続コネクタ１をピン碍子４の上部に固定させることが可能となる。
【００４３】
その後、図７に示す絶縁性カバー１２の第１及び第２のカバー構成部材１２ｃ，１２ｄをヒンジ部１４を中心として開き、縁線接続コネクタ１を構成する筒状体２や連結導電体３、及びピン碍子４に対して上方から被せるように取り付け、両カバー構成部材１２ｃ，１２ｄを閉じ込んで、縁線接続コネクタ１やピン碍子４の上部をバインド線１０と共に挟み込み、図８（ｂ）に示されるように、充電部（縁線接続コネクタの筒状体および連結導電体と、碍子に係合されたバインド線）の全体を覆うように絶縁性カバー１２を取り付ける。
【００４４】
また、縁線接続コネクタ１から縁線５を取り外す場合には、第１及び第２のカバー構成部材１２ｃ，１２ｄをヒンジ部１４を中心として回動させて相互の係合状態を解除し、しかる後に、絶縁性カバー１２を上方へ持ち上げて縁線接続コネクタ１及びピン碍子４から外す。
その後、ピン碍子４のくびれ部４ａに係合されているバインド線１０を押し上げてピン碍子との係合状態を解くことで縁線接続コネクタ１のピン碍子４への固定状態を解除した後に、又は、縁線接続コネクタ１のピン碍子４への固定状態をそのまま維持した状態で、縁線接続コネクタ１の筒状体２に設けられた縁線固定用ボルト７βを緩めて縁線５の芯線５ｂを筒状体２から取り外す。
したがって、このような構成においても、前記構成例と同様の効果を得ることが可能となる。
【００４５】
以上の構成においては、連結導電体３が直線状に形成され、縁線５をピン碍子４に対して１８０度異なる方向から縁線接続コネクタ１に接続される例を示したが、縁線５がピン碍子４に対してある角度を持って近接する場合には、図９及び図１０に示されるように、連結導電体３をその角度に併せて屈曲させた（この例では、略９０度に屈曲させた）縁線接続コネクタ１を用いるようにしてもよい。この例で用いられるバインド線１０は、屈曲させた連結導電体３の両端部付近に回動可能に巻回される一対のヒンジ部１０ａと、この一対のヒンジ部１０ａに連接されてピン碍子４の上部の径よりも幾分小さい曲率半径で湾曲する円弧状部１０ｂと、この円弧状部１０ｂの中間部（例えば、ヒンジ部１０ａから最も離れた部分）に円弧状部の弾性的な径の伸縮を許容するよう径方向外側へ突出する突出屈曲部１０ｃとを有して構成されている。
【００４６】
一対のヒンジ部１０ａは、連結導電体３の露出部分の両端近傍に位置するように間隔を空けて回動可能に係止されており、円弧状部１０ｂは、ピン碍子４の径よりも幾分小さい径に形成されているので、この円弧状部１０ｂをピン碍子４の頂部周縁に押し付けると、突出屈曲部１０ｃが拡がって径が大きくなり、円弧状部１０ｂがピン碍子４のくびれ部４ａに至ると突出屈曲部１０ｃが狭まって（復元して）径が元の大きさに戻るようになっている。
【００４７】
このような縁線接続コネクタ１をピン碍子４に取り付けた状態を保護する絶縁性カバー１２としては、例えば、図１１に示されるようなものが用いられ、この例では、ピン碍子４の上部とこのピン碍子４に固定された縁線接続コネクタ１の一対の筒状体２及び連結導電体３の上半分とを覆う第１のカバー構成部材１２ｅと、この第１のカバー構成部材１２ｅに回動可能に連結され、縁線接続コネクタ１の一対の筒状体２及び連結導電体３の下半分を覆う第２のカバー構成部材１２ｆとから構成されている。第１のカバー構成部材１２ｅは、ピン碍子４に係合されるバインド線１０までを覆うように上方から垂下する円弧壁部１３a-1を備えた碍子被覆部１３ａと、縁線接続コネクタ１の上側をボルト７と共に覆うコネクタ被覆部１３ｂとが一体に形成され、第２のカバー構成部材１２ｆは、第１のカバー構成部材１２ｅのコネクタ被覆部１３ｂの側縁にヒンジ部１４を一体に設けて連結されているもので、縁線接続コネクタ１の下側を覆うように断面円弧状に形成されると共に、ピン碍子４との干渉を避ける切り欠き１５が形成されている。
尚、他の構成は、前記構成例と同様であるので、同一箇所に同一符号を付して説明を省略する。
【００４８】
このような構成においては、連結導電体３を一対の筒状体２の連結導電体挿入口２ｂに挿入し、連結導電体固定用ボルト７αを締め付けて連結導電体３を一対の筒状体２に固定すると共に、連結導電体３にバインド線１０を回動自在に取り付けた縁線接続コネクタ１を用意しておき、電柱の前後の図示しない引留クランプから引き出された縁線５の芯線５ｂを筒状体２の縁線挿入口２ａに挿入し、縁線固定用ボルト７βを締め付けて、それぞれの縁線５を縁線接続コネクタ１で連結させ、この縁線接続コネクタ１をピン碍子４に対して側方から近づけ、ピン碍子４のくびれ部４ａに連結導電体３の屈曲された側面を２箇所で当接させ、その状態でバインド線１０を回動させてピン碍子４のくびれ部４ａまで回動させ、図１２（ａ）にも示されるように、バインド線１０をピン碍子４の頭部に係合させる。これにより、ワンタッチで、縁線接続コネクタ１をピン碍子４の上部に固定させることが可能となる。
【００４９】
その後、絶縁性カバー１２の第１及び第２のカバー構成部材１２ｅ，１２ｆをヒンジ部１４を中心として開き、縁線接続コネクタ１を構成する筒状体２や連結導電体３と、ピン碍子４の上部及びピン碍子４に係合させたバインド線１０を覆うように第１のカバー構成部材１２ｅを上方から被せ、しかる後に、第２のカバー構成部材１２ｆをヒンジ部１４を中心として回動させて縁線接続コネクタ１の筒状体２と連結導電体３とを下方から覆い、第２のカバー構成部材１２ｆの当接縁部に形成された係合突起１８を第１のカバー構成部材１２ｅのコネクタ被覆部１３ｂの当接縁部に形成された係合孔１７に係合させる。これにより、図１２（ｂ）に示されるように、充電部となる縁線接続コネクタ１の筒状体２および連結導電体３と、ピン碍子４に係合されたバインド線１０を覆うように絶縁性カバー１２が取り付けられる。
【００５０】
また、縁線接続コネクタ１から縁線５を取り外す場合には、第１及び第２のカバー構成部材１２ｅ，１２ｆをヒンジ部１４を中心として回動させて相互の係合状態を解除し、しかる後に、絶縁性カバー１２を上方へ持ち上げて縁線接続コネクタ１及びピン碍子４から外す。
その後、ピン碍子４のくびれ部４ａに係合されているバインド線１０を押し上げてピン碍子４の頭部への係合状態を解いて、縁線接続コネクタ１のピン碍子４への固定状態を解除した後に、又は、縁線接続コネクタ１のピン碍子４への固定状態をそのまま維持した状態で、縁線接続コネクタ１の筒状体２の縁線固定用ボルト７βを緩めて縁線５の芯線５ｂを筒状体２から取り外せばよい。
したがって、このような構成においても、前記構成例と同様の効果を得ることが可能となる。
【００５１】
尚、以上の構成においては、縁線接続コネクタ１の筒状体２に縁線５を接続した後にピン碍子４にバインド線１０を係合させて固定する例を示したが、縁線接続コネクタ１をピン碍子４に予め固定しておき、その状態で、縁線５を筒状体２に固定するようにしてもよい。
【００５２】
縁線接続コネクタ１をピン碍子４に予め固定する固定手段としては、特に限定されるものではないが、予めバインド線で縁線接続コネクタをピン碍子に固定するものであっても、図１３に示されるように、連結導電体３とピン碍子４とを貫通させるボルト２０により両者を締結させるものであってもよい。この図１３に示されるものは、ピン碍子４の上面に縁線接続コネクタ１の連結導電体を嵌合させる嵌合溝４ｃを形成し、この嵌合溝４ｃに直交するようにピン碍子４の頭部にボルト挿通孔４ｄを形成し、また、縁線接続コネクタ１の連結導電体３の中間部にピン碍子４に形成されたボルト挿通孔４ｄと連通可能な横孔３ａを形成しておき、これらボルト挿通孔４ｄと横孔３ａとにボルト２０を通し、このボルト２０にナット２１を螺合させることで、縁線接続コネクタ１の連結導電体３をピン碍子４に締結させるようにしてもよい。
【００５３】
尚、この例においては、図１４で示されるような絶縁性カバーを用いて同様に充電部を被覆すればよい。即ち、ピン碍子４の上部の略半分とこのピン碍子４に固定された縁線接続コネクタ１の片側の略半分とを覆う第１のカバー構成部材１２ｇと、この第１のカバー構成部材１２ｇに回動可能に連結され、ピン碍子４の上部の残りの略半分と縁線接続コネクタ１の残りの片側の略半分とを覆う第２のカバー構成部材１２ｈとから構成されている。第１のカバー構成部材１２ｇは、ピン碍子４に挿通されるボルト２０又はナット２１までを覆うように上方から垂下する円弧壁部１３a-1を備えた碍子被覆部１３ａと、縁線接続コネクタ１の軸線を含む鉛直面に対して片側略半分を覆うコネクタ被覆部１３ｂとが一体に形成され、第２のカバー構成部材１２ｈは、第１のカバー構成部材１２ｇと対称的に形成され、ピン碍子４に挿通されるボルト２０又はナット２１までを覆うように上方から垂下する円弧壁部１３c-1を備えた碍子被覆部１３ｃと、縁線接続コネクタ１の軸線を含む鉛直面に対して残りの片側略半分を覆うコネクタ被覆部１３ｄとが一体に形成されており、それぞれのカバー構成部材１２ｇ、１２ｈのコネクタ被覆部１３ｂ、１３ｄの上縁部において、第１のカバー構成部材１２ａと第２のカバー構成部材１２ｂとを回動可能に連結するヒンジ部１４が形成されている。
【００５４】
したがって、このような構成においては、縁線接続コネクタがピン碍子４に予め固定されているので、縁線５の芯線５ｂを筒状体２にボルト２０によって固定した時点で縁線５のピン碍子４への固定が完了し、また、縁線５の芯線５ｂをボルト２０を緩めて筒状体２から外せば、その時点でピン碍子４への固定状態を解除することが可能となるので、縁線接続コネクタ１をピン碍子４に後付けする必要がなくなり、また、縁線５の切り離しを行う場合にも、縁線接続コネクタ１をピン碍子４から取り外す必要がなくなり、縁線の切り離し・接続作業を効率的に行うことが可能となる。
【００５５】
尚、以上の構成において、絶縁性カバー１２は、上述のようなものに限定されるものではなく、充電部を覆うものであればよいが、作業性の面で、上述したように２つのカバー構成部材で構成されることが望ましい。
【符号の説明】
【００５６】
１  縁線接続コネクタ
２  筒状体
２ａ  縁線挿入口
３  連結導電体
４  ピン碍子
６  ボルト孔
７  ボルト
１０  バインド線
１２  絶縁性カバー
１２ａ，１２ｃ，１２ｅ，１２ｇ  第１のカバー構成部材
１２ｂ，１２ｄ，１２ｆ，１２ｈ  第２のカバー構成部材
２０  ボルト
【図１】
2012157144.tif 000003
【図２】
2012157144.tif 000004
【図３】
2012157144.tif 000005
【図４】
2012157144.tif 000006
【図５】
2012157144.tif 000007
【図６】
2012157144.tif 000008
【図７】
2012157144.tif 000009
【図８】
2012157144.tif 000010
【図９】
2012157144.tif 000011
【図１０】
2012157144.tif 000012
【図１１】
2012157144.tif 000013
【図１２】
2012157144.tif 000014
【図１３】
2012157144.tif 000015
【図１４】
2012157144.tif 000016